(57)【特許請求の範囲】
【請求項１】
撮影画像を確認するビューファインダーのほかに開閉、収納および回動自在に構成された画像表示装置を備えたビデオカメラにおいて、
前記画像表示装置の側面に、該側面に対して垂直方向へ押すことで焦点距離または露出若しくは両方の手動と自動の切り替えが行え、且つ、回転方向に操作することで焦点距離または露出若しくは両方の手動による調節が行える焦点距離または露出若しくは両方の調節装置を配設したことを特徴とするビデオカメラ。
【請求項２】
請求項１記載のビデオカメラにおいて、
開閉、収納および回動自在に構成された前記画像表示装置を閉じて収納した時に、焦点距離または露出若しくは両方の前記調節装置がビデオカメラ本体の表面上に露出するように配設されていることを特徴とするビデオカメラ。
【請求項３】
請求項１記載のビデオカメラにおいて、
開閉、収納および回動自在に構成された前記画像表示装置を表示部分が被写体側に向くように回動させた時に、焦点距離または露出若しくは両方の前記調節装置の遠景と近景または明と暗、若しくは両方の制御が逆転するように構成されていることを特徴とするビデオカメラ。
【請求項４】
請求項１記載のビデオカメラにおいて、
撮影画像を表示する表示面上に、焦点距離または露出若しくは両方の調節の状態が自動であるか手動であるかの告知表示を行い、且つ、手動である場合に焦点距離または露出若しくは両方の調節装置の操作上の方向と一義的に決定される作用の表示を行うことができるように構成されていることを特徴とするビデオカメラ。
【請求項５】
前記調節装置は、ダイヤル装置であり、
前記操作上の方向と一義的に決定される作用の表示は、手動調節に付随するダイヤル操作方向を示す矢印と、調節対象が焦点距離の場合の遠景と近景、若しくは露出の場合の明と暗の表示であることを特徴とする請求項４記載のビデオカメラ。
【発明の詳細な説明】
【０００１】
【発明の属する技術分野】
本発明は、焦点距離又は露出若しくは両方の手動と自動の切り替えができ、且つ、焦点距離又は露出若しくは両方の調節が行える装置を持つビデオカメラに関する。
【０００２】
【従来の技術】
従来のセットは、焦点距離又は露出か、若しくは両方の手動と自動の切り替えができて、且つ、焦点距離又は露出か、若しくは両方の調節を行う装置は、ビデオカメラ本体上にあった。
【０００３】
撮影画像を確認するビューファインダーのほかに、開閉、収納及び回動自在に構成された画像表示装置を備えたビデオカメラでも、焦点距離、露出若しくは両方の調節を行う装置は、図１０に示す従来のビデオカメラのダイヤル４０のように画像表示装置３３側ではなく、カメラ本体３１上の位置に設置されていた。
【０００４】
【発明が解決しようとする課題】
しかしながら、上記従来例における、撮影画像を確認するビューファインダーのほかに、開閉、収納及び回動自在に構成された画像表示装置を持つビデオカメラでは、ビデオカメラを保持しようとした場合に、図９に示すように、開いた画像装置３３に手を添えた方がビデオカメラを安定的に保持することができる。
【０００５】
ところが、焦点距離又は露出、若しくは両方の調節を行おうとした場合に、撮影者はビデオカメラ本体上にある焦点距離又は露出、若しくは両方の調節装置に手を添え直さなければならず、ビデオカメラを安定的に保持しながらの焦点距離又は露出、若しくは両方の調節操作は困難であり、ビデオカメラの操作性が損なわれるという問題点があった。
【０００６】
そこで、本発明は、画像表示装置の側面に調節装置を配置することによって、画像表示装置が開いている状態でも、収納されている状態でも、且つ、画像表示装置が被写体側に向いている場合でも、焦点距離又は露出若しくは両方の調節の手動と自動の切り替えが容易で、焦点距離又は露出若しくは両方の調節が快適・スムースに行えて、操作性を向上させるビデオカメラを提供することを目的としている。
【０００７】
【課題を解決するための手段】
上記目的を達成するため、本出願に係る発明の目的を実現する構成は、請求項１に記載のように、撮影画像を確認するビューファインダーのほかに開閉、収納および回動自在に構成された画像表示装置を備えたビデオカメラにおいて、前記画像表示装置の側面に、該側面に対して垂直方向へ押すことで焦点距離または露出若しくは両方の手動と自動の切り替えが行え、且つ、回転方向に操作することで焦点距離または露出若しくは両方の手動による調節が行える焦点距離または露出若しくは両方の調節装置を配設したことを特徴とするビデオカメラにある。
【００１７】
【発明の実施の形態】
（第１の実施の形態）
以下、本発明の第１の実施の形態について図を参照して説明する。
【００１８】
図１〜図７は本発明の第１の実施の形態に係る図である。
【００１９】
図１は本発明の第１の実施の形態に係るビデオカメラの後方斜視図である。
【００２０】
図２は図１に示すビデオカメラの画像表示装置を閉じた状態の後方斜視図である。
【００２１】
図３は図１に示す調節装置の部分拡大図である。
【００２２】
図４は図１に示すビデオカメラの画像表示装置を回動した状態の後方斜視図である。
【００２３】
図１において、１はビデオカメラ本体、２は撮像用のビデオレンズ、３はビデオカメラ本体１の側面に設けられた画像表示装置である。この画像表示装置３は連結部１０によりビデオカメラ本体１に連結支持され、水平方向及び連結部１０を中心とした水平方向を軸として回動可能に支持されている。
【００２４】
４は画像表示装置３上に設置された画像表示部で、主に液晶表示装置（以下ＬＣＤと略す）が使用されている。５は手動と自動の切り替え装置を兼ねた手動の焦点距離の調節装置（以下ＭＦ（Ｍａｎｕａｌ  Ｆｏｃｕｓの略）装置と呼ぶ）で、画像表示装置３の側面に配置されている。６はビデオカメラ本体１上に設置された第２の画像表示装置（以下ＥＶＦと呼ぶ）、７は画角を望遠方向と広角方向に調節するための画角調節装置、８は録画の開始と停止を制御するスイッチ、９はビデオカメラを片手で保持するためのグリップベルト、１１はビデオカメラ本体１に形成された凹部であって、画像表示装置３を閉じた時に画像表示装置３がこの部分に収納される。
【００２５】
図２は画像表示装置３を閉じてビデオカメラ本体１に形成された凹部１１に収納された状態のビデオカメラ本体１を両手で保持した時の後方斜視図で、画像表示装置３はＭＦ装置５がビデオカメラ本体１の後方に露出した形で収納される。図３はＭＦ装置５の動作を説明するための部分拡大図で、ＭＦ装置５はａ若しくはｂの方向に回転自在に構成されたダイヤル装置で、ａ方向にダイヤルを回した時には近景に、ｂ方向にダイヤルを回した時には遠景に焦点が合うようにレンズ２の焦点を調節できる。更に、ＭＦ装置５をｃの方向に押すことで、ダイヤルの機能とは別の制御系のスイッチ操作とすることができる。つまり、押し込むと焦点距離の調節を自動にするか手動にするかの切替えができる。ここで４１がＭＦ装置５を押し込んだ時の位置を示し、押し込んだ力を抜けばＭＦ装置５は元の位置に戻る。
【００２６】
図４は、ＬＣＤ４の表示面が被写体の方向を向くように画像表示装置３を連結部１０を中心として回動させた状態のビデオカメラ本体１を撮影者が両手で保持している時の図である。
【００２７】
つぎに動作について説明する。
【００２８】
画像表示装置３が開いている状態の時、撮影者は図１のようにビデオカメラ本体１をグリップベルト９に片方の手を通して保持し、且つ、安定性を確保するために、もう片方の手で画像表示装置３の端を把持する。そして撮影者はＬＣＤ４で映像を確認しながら撮影を行う。この撮影の際に、通常は焦点距離の調節はビデオカメラが自動的に行っているが、撮影者の意図により焦点距離の調節を手動で行う必要が発生した時に、撮影者はＭＦ装置５を図３のようにｃ方向へ押すことによって、焦点距離の調節を手動に切替えることができる。ここで撮影者はＭＦ装置５のダイヤルを回転させることで、焦点距離の調節を行う。更に、撮影者がもう一度ＭＦ装置５を押すことで焦点距離の調節を自動に戻すことができる。また、画像表示装置３が本体１に収納された状態の時、撮影者は図２のようにビデオカメラ本体１をグリップベルト９に片方の手を通して保持し、且つ、安定性を確保するためにもう片方の手でビデオカメラ本体１を包み込むように把持する。そして撮影者はＥＶＦ６で映像を確認しながら撮影を行う。この撮影の際、通常は焦点距離の調節はビデオカメラが自動的に行っているが、撮影者の意図により焦点距離の調節を手動で行う時、撮影者はＬＣＤ４が開いている場合と同様にＭＦ装置５を図３のようにｃ方向へ押すことで、手動操作に切替えることができる。そしてＭＦ装置５のダイヤルを回転させることで焦点距離の調節を行う。更に、撮影者はもう一度ＭＦ装置５を押すことで焦点距離調節を自動に戻すことができる。
【００２９】
又、撮影者は図４のように画像表示装置３を連結部１０を中心に回動させてＬＣＤ４の表示面を被写体側に向けた場合、ＥＶＦ６で映像を確認しながら撮影を行う。この際に、ＬＣＤ４の表示面を被写体側に向けた場合、ＥＶＦ６で映像を確認しながら撮影を行う。この際にＬＣＤ４とＥＶＦ６の表示面に同時に撮影映像が表示される。この時も通常自動となっている焦点距離の調節を手動に切替えるためにＭＦ装置５を操作するが、ＬＣＤ４が被写体側を向いている場合には、ダイヤルの回転方向による遠景、近景の制御が逆になるように制御される。ＬＣＤ４が図１及び図２のような位置にある場合は、焦点距離は図３でＭＦ装置５のダイヤルをａ方向へ回転させれば近景に、ｂ方向に回転させれば遠景に調節されるが、図４のようにＬＣＤ４が被写体側を向いている場合は、焦点距離は図３でＭＦ装置５のダイヤルをａ方向へ回転されば遠景に、ｂ方向へ回転させれば近景に調節される。
【００３０】
ＭＦ装置の制御をこのように行うことで、ＬＣＤ４の表示面がどのような方向を向いていようとも、画像表示装置３に対してダイヤルを上に回せば近景、ダイヤルを下に回せば遠景となるような操作が行えるので、撮影者はＬＣＤ４の表示面の向きを気にすることなくＭＦ装置５を使用することができる。
【００３１】
更に、これまでの形態についてＬＣＤ４又はＥＶＦ６上の画像表示面に、次の図５に示すような表示を行う。
【００３２】
図５は図１に示すビデオカメラの画像表示画面上の操作方向および作用の表示例を示す図である。
【００３３】
図６は図１に示すビデオカメラの制御ブロック図である。
【００３４】
図７は図６に示す制御のフローチャートである。
【００３５】
図５（ａ）において、４６は画像表示画面であり、図１の形態の場合にはＬＣＤ４上に、図２、図４の形態の場合にはＥＶＦ６上に表示される。４０はビデオテープのカウンタ表示、４１はビデオカメラの動作状態である。又、焦点距離の調節が自動である場合には、図５（ａ）の４２のように、画面上に焦点距離の調節が自動であることを示す“ＡＦ（Ａｕｔｏ  Ｆｏｃｕｓの略）”が表示され、手動に切替えられると、図５（ｂ）の４３のように表示が切り替わり、焦点距離の調節が手動であることを示す、“ＭＦ（Ｍａｎｕａｌ  Ｆｏｃｕｓ）”表示と、更に、４４のようにＭＦ装置５のダイヤルを上下のどちらに回転させれば近景又は遠景に焦点距離の調節ができるのかを知らせる表示も行われる。
【００３６】
次に、ビデオカメラ本体１の内部の信号の流れを図６の制御ブロック図で説明すると、画像表示装置の方向検出部５１で画像表示装置の方向を検出し、その情報を焦点距離調節装置５２に送る。更に、焦点距離調節装置５２での操作情報がレンズの制御部５３に送られてレンズ５４を制御する。
【００３７】
以上の制御の流れを図７のフローチャートで説明すると、先ず、操作をスタートして（Ｓ１０）、最初に画像表示装置３を開くかどうか決定する（Ｓ１１）。画像表示装置３を開くと、ＬＣＤ４に映像が表示される（Ｓ１２）。画像表示装置３が開かない場合と、ＬＣＤ面を被写体側に向けた（Ｓ２１）には、ＥＶＦ６に映像が表示される（Ｓ１３）。
【００３８】
そして、焦点距離調節が自動（Ｓ１４）である場合、ＬＣＤ４又はＥＶＦ６の画面上にＡＦと表示され（Ｓ２２）、その後、焦点距離調節装置を使って手動に切換えると（Ｓ１５）、ＬＣＤ４又はＥＶＦ６の画面上にＭＦ表示と、且つ、焦点距離調節のためのダイヤルの回転方向と一義的に決定された作用である、近景、遠景の表示が表示され（Ｓ２３）、それに従って焦点距離調節のためのダイヤルを回す（Ｓ１６）。
【００３９】
この時ＬＣＤ面が被写体側に向いている場合には（Ｓ１７）、ダイヤルをａ方向に回すと遠景に、ｂ方向に回すと近景に焦点が合う（Ｓ１８）。逆に、ＬＣＤ面が被写体側に向いていない場合は、ダイヤルをａ方向に回すと近景に、ｂ方向へ回すと遠景に焦点が合う（Ｓ１９）。
【００４０】
このように、本実施の形態によれば、画像表示装置３が開いている状態でも、収納されている状態でも、且つ、画像表示装置が被写体側を向いている場合でも、撮影者はビデオカメラを両手で安定的に保持しながら、焦点距離の調節の手動と自動の切換えが容易で、焦点距離の調節が快適に操作できるのでビデオカメラの操作性が向上する。
【００４１】
（第２の実施の形態）
次に、本発明の第２の実施の形態について図を参照して説明する。
【００４２】
図８は本発明の第２の実施の形態に係るビデオカメラの後方斜視図である。
【００４３】
図８において、１２はビデオカメラ本体、１３は撮像用のビデオレンズ、１４はビデオカメラ本体１の側面に設けられた画像表示装置である。この画像表示装置１４は連結部２１によってビデオカメラ本体１２に連結支持され、水平方向および連結部２１を中心とした水平方向を軸として回動可能に支持されている。１５は画像表示装置１４上に設置された画像表示部で、主に、ＬＣＤが使用されている。１６はＭＦ装置、２３は手動と自動の切換え装置を兼ねた手動による露出の調節装置である。
【００４４】
ＭＦ装置１６と露出調節装置２３は、画像表示装置１４の側面に配置されている。１７はビデオカメラ本体１２上に設置されたＥＶＦ、１８は画角を望遠方向と広角方向に調節するための画角調節装置。１９は録画の開始と停止を制御するスイッチ、２０はビデオカメラを片手で保持するためのグリップベルト、２２はビデオカメラ本体１２に形成された凹部であり、画像表示装置１４を閉じた時にこの部分に収納される。この時、ＭＦ装置１６と露出調節装置２３はビデオカメラ本体１２の表面上に露出するように収納される。
【００４５】
つぎに動作について説明する。
【００４６】
画像表示装置１４が開いている状態の時、撮影者は図８のようにビデオカメラ本体１２をグリップベルト２０に片方の手を通して保持し、且つ、安定性を確保するためにもう片方の手で画像表示装置１４の端を把持する。
【００４７】
そして、撮影者はＬＣＤ１５で映像を確認しながら撮影を行う。この撮影の際に、通常は焦点距離の調節や露出の調節はビデオカメラカメラが自動的に行っているが、撮影者の意図により焦点距離、露出の調節を手動で行う必要が発生した時に、撮影者はＭＦ装置１６、露出装置装置２３を図３のようにｃ方向に押すことにより、焦点距離、露出の調節を手動に切り替えることができる。ここで、撮影者はＭＦ装置１６又は露出調節装置２３のダイヤルを回転させることで焦点距離又は露出の調節を行う。更に、撮影者がもう一度ＭＦ装置１６又は露出調節装置２３を押すことで、焦点距離又は露出の調節を自動に戻すこともできる。
【００４８】
又、画像表示装置１４をビデオカメラ本体１２の凹部２２に収納した時にも、ＭＦ装置１６又は露出調節装置２３を操作することで、焦点距離又は露出の調節が可能となる。
【００４９】
更に、撮影者は画像表示装置１４を連結部２１を中心に回動させてＬＣＤ１５の表示面を被写体側に向けた場合に、ＥＶＦ１７で映像を確認しながら撮影を行う。この時も通常自動となっている焦点距離又は露出の調節を手動に切替えるために、ＭＦ装置１６又は露出調節装置２３を操作するが、ＬＣＤ１５が被写体側を向いているばあいには、ダイヤルの回転方向による焦点距離の遠景と近景、又は露出の明と暗の制御が逆になるように制御される。
【００５０】
このように、第２の実施の形態によれば、画像表示装置１４が開いている状態でも、閉じて収納されている状態であっても、又は、画像表示装置が被写体側を向いている場合でも、撮影者はビデオカメラを両手で安定的に保持しながら、焦点距離又は露出の調節の手動と自動の切替えが容易になって、画像表示装置が被写体側を向いていても焦点距離又は露出の調節の度に撮影動作を中断して調節方向を示す印字を視認するような動作が必要なくなり、快適に、スムースに調節が行えるので、ビデオカメラの操作性が向上する。
【００５１】
【発明の効果】
以上説明したように、本発明によれば、撮影画像を確認するビューファインダーの他に、開閉、収納及び回動自在に構成された画像表示装置を備えたビデオカメラにあって、画像表示装置の側面に調節装置を配設したので、画像表示装置が開いている状態でも、収納されている状態であっても、且つ、画像表示装置が被写体側を向いている場合でも、撮影者はビデオカメラを両手で安定的に保持しながら、調節装置を側面に対して垂直方向へ押すことで焦点距離又は露出の調節あるいは両方の調節の手動と自動の切換えが容易に行え、且つ、調節装置を回転方向に操作することで焦点距離又は露出若しくは両方の調節が快適にスムーズに行えて、ビデカカメラの操作性を向上させる効果がある。
【図面の簡単な説明】
【図１】本発明の第１の実施の形態に係るビデオカメラの後方斜視図である。
【図２】図１に示すビデオカメラの画像表示装置を閉じた状態の後方斜視図である。
【図３】図１に示す調節装置の部分拡大図である。
【図４】図１に示すビデオカメラの画像表示装置を回動した状態の後方斜視図である。
【図５】図１に示すビデオカメラの画像表示装置上の操作方向および作用の表示例を示す図である。
【図６】図１に示すビデオカメラの制御ブロック図である。
【図７】図６に示す制御のフローチャートである。
【図８】本発明の第２の実施の形態に係るビデオカメラの後方斜視図である。
【図９】従来のビデオカメラの後方斜視図である。
【図１０】従来のビデオカメラの斜視図である。
【符号の説明】
１、１２  ビデオカメラ本体
２、１３  ビデオレンズ
３、１４  画像表示装置
４、１５  ＬＣＤ
５、１６、２３  焦点距離又は露出調節装置
６、１７  ＥＶＦ
７、１８  画角調節装置
８、１９  録画開始及び停止スイッチ
９、２０  グリップベルト
１０、２１  連結部
１１、２２  凹部
４０  テープカウンタ
４１  ビデオカメラ状態表示
４２、４３、４４  焦点距離調節装置の状態表示
４６  画像表示画面
【図１】
0003907328.tif 000002
【図２】
0003907328.tif 000003
【図３】
0003907328.tif 000004
【図４】
0003907328.tif 000005
【図５】
0003907328.tif 000006
【図６】
0003907328.tif 000007
【図７】
0003907328.tif 000008
【図８】
0003907328.tif 000009
【図９】
0003907328.tif 000010
【図１０】
0003907328.tif 000011